(57)【要約】  フレーム（１２）、フレーム（１２）を覆うように伸ばされ、横になるため又は座るための装置（１０）の横になるため又は座るための表面を形成するカバー（１４）を有する、横になるため又は座るための装置（１０）。張力を付与する装置（２２）は、カバー（１４）に作用する張力を付与する力を変化させるためにフレーム（１２）及び／又はカバー（１４）と相互作用するように適合されている。【選択図】  図１
2014501586.tif 000002
【特許請求の範囲】
【請求項１】
横になるため又は座るための装置（１０）であって、
フレーム（１２）と、前記フレーム（１２）を覆うように伸ばされ、前記横になるため又は座るための装置（１０）の横になるため又は座るための表面を形成するカバー（１４）と、前記カバー（１４）に作用する張力を付与する力を変化させるために前記フレーム（１２）及び／又は前記カバー（１４）と相互作用するように適合された張力を付与する装置（２２）を有するものであることを特徴とする横になるため又は座るための装置。
【請求項２】
前記張力を付与する装置（２２）は、前記カバー（１４）に作用する張力を付与する力を変化させるために、前記カバー（１４）に可変の張力を加える、及び／又は前記フレーム（１２）の寸法を変化させるように適合されたものであることを特徴とする請求項１に記載の横になるため又は座るための装置。
【請求項３】
前記張力を付与する装置（２２）は、前記カバー（１４）に作用する張力を付与する力を局所的に変化させるように適合されたものであることを特徴とする請求項１又は２に記載の横になるため又は座るための装置。
【請求項４】
前記張力を付与する装置（２２）は、前記カバー（１４）に作用する張力を付与する力を局所的に変化させるために、前記カバー（１４）に可変の張力を局所的に制限するようにして加える、及び／又は前記フレーム（１２）の寸法を局所的に制限するようにして変化させるように適合されたものであることを特徴とする請求項３に記載の横になるため又は座るための装置。
【請求項５】
前記張力を付与する装置（２２）は、前記カバー（１４）に作用する張力を付与する力を変化させるために、前記カバー（１４）に連結されており回転軸（２４）の周りに回転可能なフレーム部（１８）と、前記回転可能なフレーム部（１８）を前記回転軸（２４）の周りに回転させるように適合された駆動装置（３４）を有するものであることを特徴とする請求項１乃至請求項４のいずれか１項に記載の横になるため又は座るための装置。
【請求項６】
前記張力を付与する装置（２２）は、前記張力を付与する力を変化させるために、少なくとも１つの連結点（Ｖ１−Ｖ４）の位置で前記カバー（１４）に連結されている牽引ケーブル（３６、３８）と、前記牽引ケーブル（３６、３８）に張力を加えるように適合された駆動装置（３４）を有するものであることを特徴とする請求項１乃至５のいずれか１項に記載の横になるため又は座るための装置。
【請求項７】
前記張力を付与する装置（２２）は、前記カバー（１４）に作用する張力を付与する力を変化させるために、前記フレーム（１２）の部分（４６、４８、５６、５８）によって形成された膝レバー機構（４２）と、前記膝レバー機構（４２）に駆動力を加えるように適合された駆動装置（３４）を有するものであることを特徴とする請求項１乃至６のいずれか１項に記載の横になるため又は座るための装置。
【請求項８】
前記張力を付与する装置（２２）は、複数の駆動装置（３４）を有するものであることを特徴とする請求項１乃至７のいずれか１項に記載の横になるため又は座るための装置。
【請求項９】
前記フレーム（１２）の互いに反対の位置にある２つの部分（６８、７０）が、短く縮めることができるように設計されたものであることを特徴とする請求項１乃至８のいずれか１項に記載の横になるため又は座るための装置。
【請求項１０】
前記カバー（１４）は、編まれた、又は織られた布地を含むものであることを特徴とする請求項１乃至９のいずれか１項に記載の横になるため又は座るための装置。
【請求項１１】
前記カバー（１４）は、断熱性、透湿性、防水性を有する素材で作られたフィルムを含む、又は断熱性、透湿性、防水性を有する素材で作られたフィルムからなるものであることを特徴とする請求項１乃至１０のいずれか１項に記載の横になるため又は座るための装置。
【請求項１２】
前記フィルムは、前記カバー（１４）の前記横になるため又は座るための表面として用いられる上面に取り付けられることを特徴とする請求項１１に記載の横になるため又は座るための装置。
【請求項１３】
横になるため又は座るためのシステム（６０）であって、
請求項１乃至請求項１２のいずれか１項に記載の横になるため又は座るための装置（１０）と、前記横になるため又は座るための装置（１０）が使用されていないときに前記横になるため又は座るための装置（１０）を収納するための収納装置（６２）を有するシステム。
【請求項１４】
請求項１乃至請求項１２のいずれか１項に記載の横になるため又は座るための装置（１０）、又は請求項１３に記載の横になるため又は座るためのシステム（６０）の使用。
【発明の詳細な説明】
【技術分野】
【０００１】
本発明は、乗物、特には航空機の中での使用に適した、横になるため又は座るための装置に関する。
【背景技術】
【０００２】
現在の長距離用旅客機は、通常、乗務員がフライト中に休むことができる休憩室を備えている。この乗務員のための休憩室には、適当なフレームに下から支えられたラテックス又は発泡プラスチックで作られたマットレスによって横になるための表面が形成されたベッドが備えられている。このようなベッドは比較的重い。さらに、多くの異なる使用者がこのマットレスを使用しなければならないため、使用する上での特性、特にはマットレスの固さを、個別の使用者の快適さの感覚に合わせることができない。
【０００３】
ＥＰ１２０７０７４Ｂ１から、航空機の中での使用に適した、座る位置と横になる位置の間で調節できる背もたれを有する乗客用座席が知られている。この乗客用座席の座面ばね機構は、回転することができるように装備された複数の座席薄板を有する。これらの座席薄板を回転させることで、座面の単位面積あたりの固さを、背もたれの位置に応じて変化させることができる。
【発明の概要】
【発明が解決しようとする課題】
【０００４】
本発明は、低重量と高度な快適さを特徴とする、横になるため又は座るための装置を提供することを目的とする。
【課題を解決するための手段】
【０００５】
この目的は、請求項１の特徴を有する横になるため又は座るための装置によって達成することができる。
【０００６】
本発明による横になるため又は座るための装置は、フレームと、このフレームを覆うように伸ばされ、横になるため又は座るための装置の横になるため又は座るための表面を形成するカバーを有する。フレームはプラスチック、金属、又は他の適当な素材からなるものとすることができる。例えばフレームは、中空ではない、又は中空の円柱形の構造物で形成されたものとすることができる。基本的に、フレームは、互いに連結され統合された複数のフレーム部からなるものとすることができる。しかし、この代わりに、フレームを、互いに直接に連結されておらず、例えば互いに反対側に位置するようなフレーム部を有するものとすることもできる。重要なのは、フレームが、フレームを覆うように伸ばされるカバーのキャリアとして機能することが可能だということである。本発明による横になるため又は座るための装置は、例えば肘掛けいす、乗客用座席又はソファーなど座るための家具であることが可能だが、例えばベッドなど横になるための家具であることも可能である。カバーがフレームを覆うように伸ばされるとき、このカバーには所定の張力を付与する力が作用し、カバーを横になるため又は座るための表面として使用することを可能にするために必要となる固さが与えられる。
【０００７】
本発明による横になるため又は座るための装置は、さらに、カバーに作用する張力を付与する力を変化させるように適合された、張力を付与する装置を有する。このために、張力を付与する装置はフレーム及び／又はカバーと相互作用する。張力を付与する装置は、カバーに作用する張力を付与する力を段階的に又は連続的に変化させるように適合されることができる。カバーに作用する張力を付与する力を変化させることにより、カバーによって形成された横になるため又は座るための表面の固さに選択的に影響を与えることが可能である。そのため、本発明による横になるため又は座るための装置は、固さを個別に設定することができる横になるため又は座るための表面を有する。
【０００８】
本発明による、フレームを覆うように伸ばされたカバーによって形成される横になるため又は座るための表面を有する横になるため又は座るための装置は、特に低重量であることによって特徴づけられる。さらに、この横になるため又は座るための装置は、各使用者がそれぞれの要求に合わせて横になるため又は座るための表面の固さを個別に設定することが可能であるため、高い快適さを提供する。
【０００９】
張力を付与する装置は、好ましくは、フレームを覆うように伸ばされたカバーに作用する張力を付与する力を変化させるために、カバーに可変の張力を加えるように適合されている。張力を付与する装置がカバーに加える張力が大きいほど、カバーによって形成される横になるため又は座るための表面が固くなる。これに加えて、又はこの代わりに、フレームの寸法を変化させることで、カバーによって形成される横になるため又は座るための表面の固さを変化させることができる。張力を付与する装置によって設定されるフレームの寸法が大きいほど、カバーに作用する張力を付与する力が大きくなり、カバーによって形成される横になるため又は座るための表面が固くなる。基本的に、張力を付与する装置は、カバーによって形成される横になるため又は座るための表面の全体に均一な張力を付与する力を作用させるように適合されている。このとき、横になるため又は座るための表面は、全体にわたってほぼ均一な固さになっている。しかし、この代わりに、張力を付与する装置は、フレームを覆うようにして伸ばされたカバーに作用する張力を付与する力を局所的に変化させるように適合されることもできる。張力を付与する装置のこのような構成によって、有利な方法で、横になるため又は座るための表面の固さを局所的に変化させることができる。このようにして、本発明による横になるため又は座るための装置は、各使用者の特定の要求がより満たされるように調節することができる。例えば、好みの寝る又は座る位置に、又は使用者の体重に合わせて固さを調整するために、横になるため又は座るための表面の固さを局所的に変化させることができる。
【００１０】
張力を付与する装置は、例えば、フレームを覆うように伸ばされたカバーに作用する張力を付与する力を局所的に変化させるために、可変の張力を、カバーに局所的に制限するようにして加えるように適合されることができる。カバーに作用する張力を局所に制限することは、例えば、この張力がカバーの決められた点又は決められた領域に作用する一方で、カバーの他の領域にはほとんど又は全く影響しないようにすることによって達成される。この代わりに、又はこれに加えて、張力を付与する装置は、フレームの寸法を局所的に制限するようにして変化させるように適合されることができる。例えば、カバーに作用する張力を付与する力を局所的に制限するようにして変化させるために、フレームの互いに反対の位置にある２つの部分の間に位置する空間の広さを局所的に制限するようにして変化させることができる。
【００１１】
本発明による横になるため又は座るための装置の１つの実施態様では、張力を付与する装置は、カバーに連結されており回転軸の周りに回転可能なフレーム部を有する。この回転可能なフレーム部は、例えば、フレームの他の部分に対して回転できるように装備された、中空ではない、又は中空の円柱形の筒で形成されたものとすることができる。張力を付与する装置は、更に、フレームを覆うように伸ばされたカバーに作用する張力を付与する力を変化させるために、回転軸の周りに回転可能なフレーム部を回転させるように適合された駆動装置を有するものとすることができる。回転軸の周りに回転可能なフレーム部の、第１の方向への回転によってカバーがフレーム部に「巻き付けられ」、その過程で、カバーにかかる張力を付与する力は増加する。一方で、回転軸の周りに回転可能なフレーム部の、第１の方向とは反対の第２の方向への回転によって、カバーは回転可能なフレーム部から「巻き戻され」、カバーに作用する張力を付与する力は減少する。
【００１２】
駆動装置は、例えば電気モーターなどによる自動で、又は、例えばクランクによる手動で、回転可能なウォームホイールを有するウォームギアを有するものとすることができる。ウォームホイールの回転運動は、例えば歯車を回転可能なフレーム部の端面の領域に取りつけることができれば、歯車を介して、回転可能なフレーム部に伝動することができる。もちろん、ウォームギアの代わりに異なるギア装置を使用することも可能である。しかし、自動的にロックされるギア装置を使用すれば、回転可能なフレーム部を所望の位置で固定するための安全装置を追加せずに済むので有利である。
【００１３】
張力を付与する装置は、更に、カバーと少なくとも１つの連結点で連結されている牽引ケーブルを有するものとすることができる。所望の場合は、牽引ケーブルはカバーと複数の連結点で連結することができる。摩擦を防ぐため、牽引ケーブルは偏向点において偏向ローラーを装備することができる。張力を付与する装置は、好ましくは、フレームを覆うように伸ばされたカバーに作用する張力を付与する力を変化させるために牽引ケーブルに張力を加えるように適合された駆動装置を有する。この駆動装置も、自動または手動で作動可能な、好ましくは自動的にロックされるギア装置を備えるものとすることができる。基本的には、張力を付与する装置は１本の牽引ケーブルと１つの駆動装置だけを備えるものとすることが可能である。しかし所望の場合には、１つ又は複数の駆動装置と組み合わせた複数の牽引ケーブルを装備することが可能である。
【００１４】
更なる実施態様では、張力を付与する装置は、フレームの適切な部分によって形成された膝レバー機構を有するものとすることができる。このために、カバーによって形成される横になるため又は座るための表面の１本の縁に沿って延びるフレーム部は第１のジョイントを備えるものとすることができる。このジョイントには、第２のジョイントを備えた膝レバーが作用するものとすることができる。張力を付与する装置の駆動装置は、好ましくは、フレームを覆うように伸ばされたカバーに作用する張力を付与する力を変化させるために膝レバー機構に駆動力を加えるように適合される。この駆動装置は、例えば、膝レバーの第２のジョイントに作用するものとすることができる。膝レバー機構の作動によって、フレーム部の第１のジョイントが変位し、それに伴いフレームの寸法が変化する。これによって、カバーに作用する張力を付与する力が変化する。所望の場合には、横になるため又は座るための装置は、複数の膝レバー機構及び／又は複数の駆動装置を有するものとすることができる。横になるため又は座るための装置のこのような構成によって、カバーに作用する張力を付与する力を局所的に変化させることが可能となる。横になるための表面の寸法がやむを得ず不変のものとされた場合には、膝レバー機構はカバーの下に隠されるようにして設置され、張力を付与する力は偏向ローラーとして設置されるフレームの一部を介してカバーに作用させることができる。
【００１５】
すでに述べたように、本発明による横になるため又は座るための装置の、張力を付与する装置は、１つの駆動装置を有するものとすることができる。このために、駆動装置がカバーの個別の領域に局所的に分離して力を加えることによって、駆動装置を備えた張力を付与する装置を、局所的に変化する張力を付与する力をカバーに加えることが可能にする。しかし、駆動装置によって、複数の局所的に分離された点においてカバーに加えられる張力を付与する力は、それぞれの場合で常に同じ大きさである。張力を付与する装置が複数の駆動装置を有する場合には、カバーに作用する張力を付与する力を更に選択的に設定することが可能になる。この場合、複数の駆動装置は、横になるため又は座るための表面全体に広く、または局所的に分離して、異なる大きさの張力を付与する力を加えることができる。
【００１６】
横になるため又は座るための装置の１つの実施態様では、張力を付与する装置が、長さが可変であるフレーム部とカバーに可変の張力を加えるために長さが可変であるフレーム部の長さを伸ばすように適合された駆動装置を有するものとすることができる。駆動装置は、可変の長さのフレーム部に組み入れることができる水圧、又は空気圧シリンダーを有することができる。この代わりに、長さが可変のフレーム部が、フレーム部の１つの部分をフレーム部の別の部分に対して回転させることによってフレーム部の長さを伸ばすことを可能にするのに適したねじ山を備えるものとすることができる。この場合、駆動装置は、例えば、フレーム部の回転可能な部分と連結した電気モーターを有するものとすることができる。
【００１７】
特に、本発明による横になるため又は座るための装置が、乗物、例えば航空機の中で使用されるときには、この横になるため又は座るための装置を使用していないときには可能な限り小さな空間に収納することができれば有利である。そのため、横になるため又は座るための装置の、１つの好ましい実施態様では、この装置のフレームの互いに反対の位置にある２つの部分が、短く縮めることができるように設計されたものである。このように構成された横になるため又は座るための装置は、収納するための体積を小さくすることができる。短く縮めることができるように設計されたフレーム部を有する横になるため又は座るための装置の構成は、ここでは、フレームを覆うように伸ばされた装置のカバーに可変の張力を付与する力を加えるように適合された、張力を付与する装置を有する横になるため又は座るための装置と関連づけて記載するが、横になるため又は座るための装置は、そのような張力を付与する装置からは独立して、短く縮めることができるように設計されたフレーム部を持つものとして構成することができる。そのため、本発明による横になるため又は座るための装置は、フレーム、フレームを覆うように伸ばされ横になるため又は座るための表面を形成するカバー、短く縮めることができるように設計されたフレームの互いに反対の位置にあるフレーム部だけを有するものとすることができる。
【００１８】
本発明による横になるため又は座るための装置の１つの好ましい実施態様では、カバーは編まれた又は織られた布地を含む。編まれた、又は織られた布地は、低い重量、高い頑丈さと、カバーによって形成される横になるため又は座るための装置の固さを設定するために与えられる可変の張力を付与する力への耐久性によって特徴づけられる。カバーに加えられる張力を付与する力は、横糸又は縦糸の方向に向けられることができる。更に、編まれた、又は織られた布地は、横糸と縦糸両方の方向に張力を付与されることができる。基本的には、本発明による横になるため又は座るための装置のカバーに用いられる、編まれた、又は織られた布地は、適切な所望の素材で作られた繊維からなるものとすることができる。ただし、合成繊維は高い弾性によって特徴づけられる。
【００１９】
更に、本発明による横になるため又は座るための装置のカバーは、断熱性、透湿性、防水性を有する素材で作られたフィルムを含む、又はこのようなフィルムからなるものとすることができる。このようなフィルムは、水分がカバーを透過して床の上に、又はこの装置の下に設置された他の横になるため又は座るための装置の上に浸出することを防ぐ。このフィルムは、例えば、ゴアテックス（登録商標）又は類似した素材によってなるものとすることができる。
【００２０】
フィルムは、好ましくはカバーの上面、すなわち横になるため又は座るための表面として使用される上面に取り付けられる。しかし、所望の、又は必要な場合には、フィルムをカバーの上面の反対に位置するカバーの下面に、又はカバーの上面と下面の両方に取り付けることもできる。
【００２１】
本発明による横になるため又は座るためのシステムは、上記の横になるため又は座るための装置と、装置が使用されていないときに装置を収納するための収納装置を有する。収納装置は、例えば、キャビン内の柱と一体となった収納用の区画を有することができる。この収納用の区画は、フラップによって閉じられるようにすることができる。
【００２２】
本発明による横になるため又は座るためのシステムのように、本発明による横になるため又は座るための装置は航空機の中で特に有利に使用することができるが、他の交通手段においても使用することができる。例えば、この装置又はシステムは、乗務員のための休憩室で用いることができる。
【００２３】
以下、本発明の好ましい実施態様の例について、添付の図を用いてより詳細に説明する。
【図面の簡単な説明】
【００２４】
【図１】フレームを覆うように伸ばされたカバーと、カバーに可変の張力を付与する力を加えるための張力を付与する装置の第１の実施態様を有する横になるための装置を示す図である。
【図２】図１の横になるための装置の細部を示した図である。
【図２ａ】図１の張力を付与する装置の第１の実施態様を示す更なる図である。
【図３】横になるための装置に可変の張力を付与する力を加えるための、張力を付与する装置の第２の実施態様を示す図である。
【図４】横になるための装置のカバーに可変の張力を付与する力を加えるための、張力を付与する装置の第３の実施態様を示す図である。
【図５】横になるためのシステムであり、収納装置に収納される横になるための装置を有するシステムを示す図である。
【図６】図５の横になるためのシステムの、収納装置の収納用の区画を閉じるフラップが開いている状態を示す図である。
【図７】図５の横になるためのシステムの、横になるための装置が収納装置から取り出された状態を示す図である。
【図８】図７の横になるためのシステムの断面図である。
【発明を実施するための形態】
【００２５】
図１に示される横になるための装置１０は、フレーム１２と、フレーム１２を覆うように伸ばされ、横になるための装置１０の横になるための表面を形成するカバー１４を有する。フレーム１２は、長方形をしたカバー１４の長い方の縁に沿って伸びる２つのフレーム部１６、１８を有する。
【００２６】
図２ａに最もよく見られるように、パイピング２０（図２参照）がカバー１４の縁に沿って取り付けられ、フレーム１２のフレーム部１５、１６、１７を封入する。このフレーム部１６、１６、１７はそれぞれ中空の円柱形の筒から形成されている。横になるための装置１０の、例示される実施態様では、フレーム１２は３つのフレーム部１５、１６、１７を有する。しかし、所望の場合には、フレーム１２は一体形成されたものとすることもできる。すなわち、フレーム１２はカバー１４の外縁全体に沿って広がる部材を有することができる。
【００２７】
横になるための装置１０は、更に、カバー１４に可変の張力を付与する力を加える、張力を付与する装置２２を有する。横になるための装置１０の、カバー１４によって形成された横になるための表面の固さは、カバー１４に加えられる張力を付与する力によって決定される。
【００２８】
図１に例示された実施態様では、張力を付与する装置２２は回転軸２４の周りに回転可能となるように設計されたフレーム部１８を有する。回転軸２４の周りに回転可能なフレーム部１８は、端面の領域で歯車２６に連結されている。歯車２６の歯はウォームホイール２８とかみあっており、歯車２６とウォームホイール２８はウォームギア３０を形成する。ここで例示される実施態様では、ウォームギア３０はクランク３２によって作動させることができる。しかし、当然、横になるための装置１０は、ウォームギア３０を自動的に作動させるための装置、例えば電気モーターなどを有するものとすることもできる。
【００２９】
ウォームホイール２８をクランク３２によって回転させることによって、歯車２６を回転させ、結果として、歯車２６に連結され固定されているフレーム部１８を回転軸２４の周りに回転させることが可能となる。フレーム部１５、１６、１７が動かないように装着されているとすると、ウォームギア３０を作動させることによって、横になるための装置１０のカバー１４に張力を付与する力を加えることが可能になる。カバー１４に作用する張力を付与する力が大きいほど、フレーム部１８は回転軸２４の周りに時計回りに大きく回転する。同様に、フレーム部１８を回転軸２４の周りに反時計回りに回転させることにより、カバー１４に作用する張力を付与する力を減少させることができる。このようにウォームギア３０は、クランク２４とともに、横になるための装置１０のカバー１４に可変の張力を付与する力を加えることに適した駆動装置３４を構成し、これによって横になるための装置のカバー１４によって形成される横になるための表面の固さを異なる固さに調整する。パイピングとして構成されており、フレーム部１５、１７を封入するカバーの縁は、カバーに働く異なる力に適合するために、フレーム部１５、１７の上を滑るように設計されている。
【００３０】
図１及び図３に示された張力を付与する装置２２の実施様態では、カバー１４は全体として、すなわちその全体の領域にわたって、一定の張力を付与する力が与えられる。このために、図３に示す張力を付与する装置２２は、ギア装置３０とクランク３２によって構成される駆動装置３４とそれぞれ連結された２つの牽引ケーブル３６、３８を有する。この牽引ケーブルは、連結点Ｖ１−Ｖ４の位置でカバー１４と連結されている。偏向ローラー４０は摩擦を減少させるために設けられる。駆動装置３４をクランク３２によって作動させることで、局所的に、すなわち連結点Ｖ１−Ｖ４の位置で、カバー１４に張力を付与する力が加えられる。
【００３１】
最後に、図４は、カバー１４に作用する張力を付与する力を変化させるために、カバー１４の代わりに、横になるための装置１０のフレーム１２に作用する張力を付与する装置２２の実施態様を示す。図４に示す張力を付与する装置２２は、膝レバー機構４２を有する。第１の膝レバー４４は２つのフレーム部４６、４８によって形成され、第１のジョイント５０で互いに連結されている。第２のジョイント５４で接合されるようにして互いに連結されている部分５６、５８を有する第２の膝レバー５２は、第１のジョイント５０で第１の膝レバー４４に接合されている。駆動装置３４は、ウォームギアとクランク（不図示）を有し、第２のジョイント５４に作用する。駆動装置３４を作動させる（矢印Ｐ参照）ことで、相関して第２の膝レバー５２の部分５６、５８が動き、この動きが、第１のジョイント５０を介して第１の膝レバー４４に伝えられる。特に、駆動装置４４の作動によってフレーム部１６、１８の間の空間が変化し、それによってフレーム１２を覆うように伸ばされたカバー１４に作用する張力を付与する力が変化する。
【００３２】
図４に示された構成では、２つの張力を付与する装置２２が備えられ、そのそれぞれが駆動装置３４と膝レバー機構４２を備えている。横になるための装置１０のカバー１４の複数の領域に作用する張力を付与する力は、駆動装置３４を２つ用いることによってより選択的に設定し、変化させることができる。
【００３３】
横になるための装置１０は、航空機の中の、乗務員のための休憩室でのソファーとしての使用に特に適している。図５は、横になるためのシステム６０に一体化した形の、横になるための装置１０を示している。横になるための装置１０に加え、システム６０は、横になるための装置を収納するための収納装置６２を含む。収納装置６２は、フラップ６６で閉じることができる収納用の区画６４を有する。図５−８に示された横になるための装置１０のフレーム１２は短く縮めることができるように設計され、長方形をしたカバー１４の短い方の縁に沿って伸びるフレーム部６８、７０を有する。
【００３４】
このようにして、横になるための装置１０を、使用されていないときには、収納用装置６２の収納用の区画６４の中にスペースを節約して収納することが可能になる。横になるための装置１０を使用できる状態にするには、ただ収納用装置６２の収納用の区画６４から装置を引き出し、短く縮めることができるように設計されたフレーム部６８、７０を「引き出す」だけでよい。横になるための装置１０が、図７、８に示された状態になったとき、上記のように設計されることのできる張力を付与する装置２２を作動させることで、カバー１４に作用する張力を付与する力を所望のように設定することができる。
【００３５】
ここに示された、横になるための装置１０の例示された実施態様では、カバー１４は、プラスチック繊維から形成されている編まれた布地からなる。断熱性、透湿性、防水性を有する素材から作られたフィルム、例えばゴアテックス（登録商標）は、横になるための装置１０の横になるための表面を形成するカバー１４の上面に取り付けられる。
【図１】
2014501586.tif 000003
【図２】
2014501586.tif 000004
【図２ａ】
2014501586.tif 000005
【図３】
2014501586.tif 000006
【図４】
2014501586.tif 000007
【図５】
2014501586.tif 000008
【図６】
2014501586.tif 000009
【図７】
2014501586.tif 000010
【図８】
2014501586.tif 000011
【国際調査報告】
2014501586.tif 000012
2014501586.tif 000013
2014501586.tif 000014